(57)【要約】【課題】自立状態で使用者の体重を支持できる上、使用者が容易に運べるばかりでなく、便座が付いていて排泄するのに便利な歩行器を提供する。【解決手段】間隔をあけて並立している左右両側支持部１１と、前記左右両側支持部を連結している連結部１２とから、自立状態にあり、該自立状態で使用者の体重を支持でき、使用者が運べるようにも構成されている支持体１と、直立になって前記連結部に支持される収束位置にある状態と、水平になって前記左右両側支持部及び前記連結部に支持される使用位置にある状態とに切り替えることができるように配置構成されている便座２と、からなっている歩行器等。【選択図】図１
0003157985.tif 000002
【実用新案登録請求の範囲】
【請求項１】
間隔をあけて並立している左右両側支持部と、前記左右両側支持部を連結している連結部とから、自立状態にあり、該自立状態で使用者の体重を支持でき、使用者が運べるようにも構成されている支持体と、
直立になって前記連結部に支持される収束位置にある状態と、水平になって前記左右両側支持部及び前記連結部に支持される使用位置にある状態とに切り替えることができるように配置構成されている便座と、
からなっていることを特徴とする歩行器。
【請求項２】
間隔をあけて並立している左右両側支持部と、前記左右両側支持部を連結している連結部とから、自立状態にあり、該自立状態で使用者の体重を支持でき、使用者が運べるようにも構成されている支持体と、
便座穴が開けてある便座板を有し、且つ、前記連結部に、前記便座穴が前後方向に向かうように直立になって前記連結部に支持される収束位置にある状態と、前記便座穴が上下方向に向かうように水平になって前記左右両側支持部及び前記連結部に支持される使用位置にある状態とに切り替えることができるように枢支されている便座と、
前記便座を前記収束状態又は使用状態で前記支持体に仮固定するための固定装置と、
からなっていることを特徴とする歩行器。
【請求項３】
前記便座は、更に、袋固定環が設けられており、
該袋固定環は、前記便座板が前記使用状態にある時に底面となる面に、前記便座穴を囲うように着脱自在に装着されていて、該袋固定環を介して袋を前記便座板に取り付けることができることを特徴とする請求項２に記載の歩行器。
【請求項４】
前記便座は、更に、係止手段が前記便座板の前記底面に設けられており、
該係止手段は、前記袋固定環を着脱自在に係止する係止溝を有するように構成されていることを特徴とする請求項３に記載の歩行器。
【請求項５】
前記便座板は、第１の接続部と第２の接続部を含んでおり、
前記第１の接続部及び前記第２の接続部は、それぞれ前記便座穴の両側に配置されており、前記第１の接続部には前記支持体に枢接されている枢接部材が設けられており、前記第２の接続部には前記固定装置が設けられており、
該固定装置は、前記便座板が前記使用状態にある時に底面となる面に固定されている筒状の主桿部と、前記主桿部の両端に接続され、それぞれ前記第２の接続部の両端よりも突出して、前記左右両側支持部又は前記連結部に接続することができる一対の固定桿部とを備えていることを特徴とする請求項２〜４のいずれか一項に記載の歩行器。
【請求項６】
前記左右両側支持部は、それぞれ、前後直立桿部と、前記前後直立桿部を連結している横桿部とからなっており、
前記横桿部は、前記便座が前記使用位置にある場合、前記第２の接続部の両端より突出する前記一対の固定桿部に接続されると共に該一対の固定桿部を介して前記便座を前記使用位置に支持することができるように配置構成されていることを特徴とする請求項５に記載の歩行器。
【請求項７】
前記連結部は、上桿部と下桿部とからなり、前記上桿部及び前記下桿部のそれぞれの両端が前記左右両側支持部に接続されており、
前記上桿部は、前記便座が前記収束位置にある場合、前記第２の接続部の両端より突出する前記一対の固定桿部に接続されると共に該一対の固定桿部を介して前記便座を前記収束位置に支持することができるように配置構成されていることを特徴とする請求項５に記載の歩行器。
【請求項８】
前記一対の固定桿部は、それぞれ前記主桿部と入れ子構成になっていることを特徴とする請求項５〜７のいずれか一項に記載の歩行器。
【請求項９】
前記枢接部材は、Ｃ字形のつかみ具であって、前記便座板の前記底面に設けられている上、前記Ｃ字形によって前記下桿部と回転可能に嵌合していることを特徴とする請求項８に記載の歩行器。
【請求項１０】
前記左右両側支持部は、それぞれ、前後直立桿部と、アームレストと、横桿部とからなり、前記アームレスト及び前記横桿部のそれぞれの両端が前記前後直立桿部に接続されており、
前記連結部は、上桿部と下桿部とからなり、前記上桿部及び前記下桿部のそれぞれの両端が前記左右両側支持部の前記前直立桿部に接続されていることを特徴とする請求項２に記載の歩行器。
【請求項１１】
前記左右両側支持部は、前記連結部に重ね合わせて折りたためるように構成されていることを特徴とする請求項２〜１０のいずれか一項に記載の歩行器。
【請求項１２】
歩行器に固定できる便座であって、
便座穴があり、第１の接続部と第２の接続部が前記便座穴の両側に配置され、前記第１の接続部に歩行器と枢接することができる枢接部材が設けられている便座板と、
前記第２の接続部の両端よりそれぞれ突出することができ、且つ、突出してから、固定手段によって該突出状態に仮固定することができるように構成されている一対の固定桿部と、
からなっていることを特徴とする便座。
【請求項１３】
前記第２の接続部には、更に、前記便座板の底面に固定されている筒状の主桿部が設けられており、
前記一対の固定桿部は、それぞれ前記筒状の主桿部の両端に入れ子構成になるように接続されていることを特徴とする請求項１２に記載の便座。
【請求項１４】
前記便座板の底面に、更に、袋固定環が、前記便座穴を囲うように着脱自在に装着されていて、該袋固定環を介して袋を該便座板に取り付けることができることを特徴とする請求項１２又は１３に記載の便座。
【請求項１５】
前記便座板の底面に、更に、係止手段が、前記袋固定環を着脱自在に係止する係止溝を有するように配置構成されていることを特徴とする請求項１４に記載の便座。
【請求項１６】
前記便座板は、折り畳んで収束できる構成になっていることを特徴とする請求項１２〜１５のいずれか一項に記載の便座。
【考案の詳細な説明】
【技術分野】
【０００１】
本考案は、歩行器に関し、より詳しくは、便座付き歩行器に関する。
【背景技術】
【０００２】
歩行器は、歩行の補助を目的とするものであり、通常、歩行中の使用者を支持できると共に使用者が歩行しながら運ぶことができるように構成されている。また、移動しない時は、使用者に保持されなくても自立でき、且つ、該自立状態で使用者の全身体重を支持することができ、より安全に使用できるように構成されている。
【０００３】
歩行器の使用者は、身障者や負傷者、高齢者などであり、これらの使用者にとって、トイレまでの移動は負担が大きく、また、常にトイレがどこにあるのか、距離はどのくらいなのか、衛生面はどうであるか、と心配することが心の負担にもなり、この心配が解消されなければ外出をも怖がる人が沢山いる。
【考案の概要】
【考案が解決しようとする課題】
【０００４】
本考案は、このような問題に鑑みて、自立状態で使用者の体重を支持でき、使用者が容易に運べるばかりでなく、便座が付いていて、排泄するのに便利な歩行器を提供することを目的とする。
【課題を解決するための手段】
【０００５】
この目的を達成するために、本考案は、間隔をあけて並立している左右両側支持部と、前記左右両側支持部を連結している連結部とから、自立状態にあり、該自立状態で使用者の体重を支持でき、使用者が運べるようにも構成されている支持体と、直立になって前記連結部に支持される収束位置にある状態と、水平になって前記左右両側支持部及び前記連結部に支持される使用位置にある状態とに切り替えることができるように配置構成されている便座と、からなっている歩行器を提供する。特に、間隔をあけて並立している左右両側支持部と、前記左右両側支持部を連結している連結部とから、自立状態にあり、該自立状態で使用者の体重を支持でき、使用者が運べるようにも構成されている支持体と、便座穴が開けてある便座板を有し、且つ、前記連結部に、前記便座穴が前後方向に向かうように直立になって前記連結部に支持される収束位置にある状態と、前記便座穴が上下方向に向かうように水平になって前記左右両側支持部及び前記連結部に支持される使用位置にある状態とに切り替えることができるように枢支されている便座と、前記便座を前記収束状態又は使用状態で前記支持体に仮固定するための固定装置と、からなっている歩行器を提供する。また、歩行器に固定できる便座であって、便座穴があり、第１の接続部と第２の接続部が前記便座穴の両側に配置され、前記第１の接続部に歩行器と枢接することができる枢接部材が設けられている便座板と、前記第２の接続部の両端よりそれぞれ突出することができ、且つ、突出してから固定手段によって該突出状態に仮固定することができるように構成されている一対の固定桿部と、からなっている便座をも提供する。
【考案の効果】
【０００６】
前記便座付き歩行器に関わる考案により、歩行器の使用者は、トイレまで行かなくても排泄することができ、また、トイレの有無や衛生面を心配することなく、気軽に外出することができる。
【図面の簡単な説明】
【０００７】
【図１】本考案の歩行器における便座が直立になって収束位置にある状態を示す図面である。
【図２】図１の便座における便座板と袋固定環とを分解状態で示している図面である。
【図３】図１の便座が横になって使用位置にある状態を示す図面である。
【図４】図１の歩行器の一部分を示す部分上面図である。
【図５】図４の歩行器における固定装置が上桿部から外された状態を示す図面である。
【図６】図１の歩行器における右側支持部が連結部に重なるように折りたたまれた状態を示す図面である。
【図７】歩行器に利用できる、本考案の他の実施形態の便座を示す図面である。
【考案を実施するための形態】
【０００８】
図１および図２に示したように、本考案の歩行器は、支持体１と、便座２と、固定装置３と、からなっている。
【０００９】
支持体１は、従来の歩行器のように、間隔をあけて並立している左右両側支持部１１と、左右両側支持部１１を連結している連結部１２とから自立状態にあり、該自立状態で使用者の体重を支持でき、使用者が運べるようにも構成されている。また、左右両側支持部１１は、それぞれ、前後直立桿部１１１、１１２と、アームレスト１１３と、横桿部１１４とから構成されている。アームレスト１１３及び横桿部１１４は、互いに平行するように配置しており、それぞれの両端が前後直立桿部１１１、１１２に接続されている。
【００１０】
この支持体１だけで、使用者は、従来の歩行器を使用すると同様に、両側のアームレスト１１３を握り、歩行器全体を進む方向に置いて、両側のアームレスト１１３を介して自分の体重を支持しながら歩行することができる。
【００１１】
連結部１２は、上桿部１２１と下桿部１２２とから構成されている。上桿部１２１は、その両端部１２４が同一方向に湾曲してから、第１の一対のスリーブ１２５によって左右両側支持部１１の前直立桿部１１１に接続されている。下桿部１２２は、その両端が第２の一対のスリーブ１２６によって左右両側支持部１１の前直立桿部１１１に接続されている。
【００１２】
また、左右両側支持部１１は、第１の一対のスリーブ１２５及び第２の一対のスリーブ１２６により、連結部１２に重ね合わせて折りたためるように枢支されている（図６参照）。
【００１３】
便座２は、便座穴２１０が開けてある便座板２１と、一対の枢接部材２２と、係止手段２３と、袋固定環２４とから構成されている。
【００１４】
図に示したように、便座２は、便座穴２１０が前後方向に向かうように直立になっており、連結部１２のみに支持される収束位置にある状態（図１参照）と、便座穴２１０が上下方向に向かうように水平になって左右両側支持部１１の横桿部１１４と連結部１２の下桿部１２２とに支持される使用位置にある状態（図３参照）とに切り替えることができるように、一対の枢接部材２２によって連結部１２の下桿部１２２に枢支されている。
【００１５】
便座板２１は、第１の接続部２１１と第２の接続部２１２を含み、該第１の接続部２１１及び第２の接続部２１２は、それぞれ便座穴２１０の両側に配置されている。
【００１６】
一対の枢接部材２２は、第１の一対のＣ字形のつかみ具２２０であって、便座板２１が使用状態にある時、底面となる面２１３の第１の接続部２１１の両端近くに設けられ、且つ、それらＣ字形によって連結部１２の下桿部１２２と回転可能に嵌合している。
【００１７】
係止手段２３は、それぞれ係止溝２３２を有する複数の係止ユニット２３１からなっており、該複数の係止ユニット２３１は、便座板２１の面２１３に、便座穴２１０を囲むように設けられており、それらの係止溝２３２で袋固定環２４を着脱自在に係止することができるように配置構成されている。
【００１８】
袋固定環２４は、通常、複数の係止ユニット２３１により、便座穴２１０を囲うように着脱自在に便座板２１の面２１３に装着されている。使用者が排泄するため袋１０（例えば、ビニール袋）を取り付ける場合は、まず袋固定環２４を複数の係止ユニット２３１から取り外し、次に袋１０（例えば、ビニール袋）の開口縁を袋固定環２４と各係止ユニット２３１の間に挟み、再び袋固定環２４を各係止ユニット２３１に係止して（図２参照）取り付ける。
【００１９】
固定装置３は、便座２に固定されており、便座２を支持体１に前記収束状態又は使用状態に仮固定するためのものであり、筒状の主桿部３１と、一対の固定桿部３２と、一対の固定手段３３を備えている。主桿部３１は、便座板２１が使用状態にある時に底面となる面２１３の第２の接続部２１２に沿うように固定されている。
【００２０】
一対の固定桿部３２は、それぞれ主桿部３１の両端に接続されている上、第２の接続部２１２の両端よりも突出してから、左右両側支持部１１又は連結部１２に仮固定できるように構成されている。本実施形態における一対の固定桿部３２は、それぞれ主桿部３１と一対の固定手段３３付きの入れ子構成になっており、それら固定桿部３２の先端近くに、左右両側支持部１１にある横桿部１１４又は連結部１２にある上桿部１２１と嵌合できる第２の一対のＣ字形のつかみ具３２１が設置されている。つまり、いずれの固定桿部３２も、対応の固定手段３３を締めたり緩めたりすることで、その突出状態を調整、又は仮固定することができる。
【００２１】
図１に示したように、便座２が収束位置にある時、便座板２１の第１接続部２１１は、第１の一対のＣ字形のつかみ具２２０によって連接部１２の下桿部１２２に枢接されており、第２の接続部２１２は、突出状態が調整された一対の固定桿部３２にある第２の一対のＣ字形のつかみ具３２１がそれぞれ上桿部１２１の湾曲した両端部１２４と嵌合することによって連接部１２の上桿部１２１に接続される。つまり、便座２が、収束位置にあって支持されている時、固定装置３は、その全体の長さが上桿部１２１における両端部１２４の間の長さよりも長くなって該両端部１２４により下から支持されていることにより、便座２の全体を連結部１２に支持している（図１及び図４参照）。
【００２２】
便座２を使用状態に移動させる場合、先ず、一対の固定手段３３による仮固定を緩め、第２の一対のＣ字形のつかみ具３２１の嵌合を外し、固定装置３の全体の長さを上桿部１２１における両端部１２４の間の長さより短くなるように調整してから（図５参照）、便座板２１を下桿部１２２を枢軸としてほぼ水平になるように回動させる。そして、固定装置３の全体の長さを、第２の一対のＣ字形のつかみ具３２１がそれぞれ左右両側支持部１１にある横桿部１１４と嵌合できるように調整して、一対の固定桿部３２にある第２の一対のＣ字形のつかみ具３２１によって便座板２１の第２の接続部２１２を左右両側支持部１１にある横桿部１１４と接続することで、便座２を使用位置に切り替えることができる。即ち、便座２が、使用位置に切り替えられた場合、便座２は左右両側支持部１１の横桿部１１４と連結部１２の下桿部１２２とに安全に支持されている。
【００２３】
本実施形態における固定装置３は、便座板２１の底面２１３に固定されているものであるが、便座２を支持体１に収束状態又は使用状態に仮固定することができれば、どのような構成になっても良い。例えば、固定装置が支持体１に固定されても良いし、また、主桿部３１に設けられるボタン（図にせず）を押すことによって伸縮して、装置全体の長さを調節できる構成であっても良い。このような伸縮できる構成は既に公知なものであるので、ここでその詳細を省略する。
【００２４】
また、本実施形態における係止手段２３は、複数の係止ユニット２３１からなっているが、その係止溝２３２が便座穴２１０を囲むように連続して伸びていて、袋固定環２４全体を係止することができれば、一つの係止ユニット２３１のみからなっても良い。そしてまた、係止手段２３は、袋固定環２４を引っ掛けることができる複数のフック（図にせず）からなっても良い。
【００２５】
また、便座２及び固定装置３を共に支持体１から外して使用してもよく、その便座２及び固定装置３を同行者が持つなどすれば、重量が軽くなり使用者の負担を軽くすることができる。
【００２６】
なお、便座を持ち運びする際の利便性を考慮して、図７に示したような便座の構成になっても良い。詳細には、便座板２１´は、折り畳んで収束できる四つの平板２１５、２１６からなっており、主桿部３１´は、三つのロッド部３１１、３１２、３１３に分けられている。ロッド部３１１、３１２は、それぞれ一対の固定桿部３２と入れ子構成になっており、ロッド部３１３は、平板２１５とを掛け渡すものであり、その両端がそれぞれスリーブ３１４、３１５に挿入されている。また、ロッド部３１３をスリーブ３１５から抜き出して、便座板２１´を折り畳むことができる。
【産業上の利用可能性】
【００２７】
上述したように、本考案の便座付き歩行器を利用すれば、歩行器の使用者は、トイレまで行かなくても排泄することができるので、トイレの有無や衛生面を心配することなく、気軽に外出することができる。
【符号の説明】
【００２８】
１…支持体
１０…袋
１１…支持部
１１１…前直立桿部
１１２…後直立桿部
１１３…アームレスト
１１４…横桿部
１２…連結部
１２１…上桿部
１２２…下桿部
１２４…端部
１２５…スリーブ
１２６…スリーブ
２…便座
２１０…便座穴
２１、２１´…便座板
２１１…第１の接続部
２１２…第２の接続部
２１３…便座板の使用状態時に底面となる面
２１５、２１６…平板
２２…枢接部材
２２０…つかみ具
２３…係止手段
２３１…係止ユニット
２３２…係止溝
２４…袋固定環
３…固定装置
３１、３１´…主桿部
３１１、３１２、３１３…ロッド部
３１４、３１５…スリーブ
３２…固定桿部
３２１…つかみ具
３３…固定手段
【図１】
0003157985.tif 000003
【図２】
0003157985.tif 000004
【図３】
0003157985.tif 000005
【図４】
0003157985.tif 000006
【図５】
0003157985.tif 000007
【図６】
0003157985.tif 000008
【図７】
0003157985.tif 000009
【手続補正書】
【提出日】平成22年1月4日(2010.1.4)
【手続補正１】
【補正対象書類名】明細書
【補正対象項目名】０００５
【補正方法】変更
【補正の内容】
【０００５】
この目的を達成するために、本考案は、間隔をあけて並立している左右両側支持部と、前記左右両側支持部を連結している連結部とから、自立状態にあり、該自立状態で使用者の体重を支持でき、使用者が運べるようにも構成されている支持体と、直立になって前記連結部に支持される収束位置にある状態と、水平になって前記左右両側支持部及び前記連結部に支持される使用位置にある状態とに切り替えることができるように配置構成されている便座と、からなっている歩行器を提供する。特に、間隔をあけて並立している左右両側支持部と、前記左右両側支持部を連結している連結部とから、自立状態にあり、該自立状態で使用者の体重を支持でき、使用者が運べるようにも構成されている支持体と、便座穴が開けてある便座板を有し、且つ、前記連結部に、前記便座穴が前後方向に向かうように直立になって前記連結部に支持される収束位置にある状態と、前記便座穴が上下方向に向かうように水平になって前記左右両側支持部及び前記連結部に支持される使用位置にある状態とに切り替えることができるように枢支されている便座と、前記便座を前記収束状態又は使用状態で前記支持体に仮固定するための固定装置と、からなっている歩行器を提供する。
【手続補正２】
【補正対象書類名】実用新案登録請求の範囲
【補正対象項目名】全文
【補正方法】変更
【補正の内容】
【実用新案登録請求の範囲】
【請求項１】
間隔をあけて並立している左右両側支持部と、前記左右両側支持部を連結している連結部とから、自立状態にあり、該自立状態で使用者の体重を支持でき、使用者が運べるようにも構成されている支持体と、
直立になって前記連結部に支持される収束位置にある状態と、水平になって前記左右両側支持部及び前記連結部に支持される使用位置にある状態とに切り替えることができるように配置構成されている便座と、
からなっていることを特徴とする歩行器。
【請求項２】
間隔をあけて並立している左右両側支持部と、前記左右両側支持部を連結している連結部とから、自立状態にあり、該自立状態で使用者の体重を支持でき、使用者が運べるようにも構成されている支持体と、
便座穴が開けてある便座板を有し、且つ、前記連結部に、前記便座穴が前後方向に向かうように直立になって前記連結部に支持される収束位置にある状態と、前記便座穴が上下方向に向かうように水平になって前記左右両側支持部及び前記連結部に支持される使用位置にある状態とに切り替えることができるように枢支されている便座と、
前記便座を前記収束状態又は使用状態で前記支持体に仮固定するための固定装置と、
からなっていることを特徴とする歩行器。
【請求項３】
前記便座は、更に、袋固定環が設けられており、
該袋固定環は、前記便座板が前記使用状態にある時に底面となる面に、前記便座穴を囲うように着脱自在に装着されていて、該袋固定環を介して袋を前記便座板に取り付けることができることを特徴とする請求項２に記載の歩行器。
【請求項４】
前記便座は、更に、係止手段が前記便座板の前記底面に設けられており、
該係止手段は、前記袋固定環を着脱自在に係止する係止溝を有するように構成されていることを特徴とする請求項３に記載の歩行器。
【請求項５】
前記便座板は、第１の接続部と第２の接続部を含んでおり、
前記第１の接続部及び前記第２の接続部は、それぞれ前記便座穴の両側に配置されており、前記第１の接続部には前記支持体に枢接されている枢接部材が設けられており、前記第２の接続部には前記固定装置が設けられており、
該固定装置は、前記便座板が前記使用状態にある時に底面となる面に固定されている筒状の主桿部と、前記主桿部の両端に接続され、それぞれ前記第２の接続部の両端よりも突出して、前記左右両側支持部又は前記連結部に接続することができる一対の固定桿部とを備えていることを特徴とする請求項２〜４のいずれか一項に記載の歩行器。
【請求項６】
前記左右両側支持部は、それぞれ、前後直立桿部と、前記前後直立桿部を連結している横桿部とからなっており、
前記横桿部は、前記便座が前記使用位置にある場合、前記第２の接続部の両端より突出する前記一対の固定桿部に接続されると共に該一対の固定桿部を介して前記便座を前記使用位置に支持することができるように配置構成されていることを特徴とする請求項５に記載の歩行器。
【請求項７】
前記連結部は、上桿部と下桿部とからなり、前記上桿部及び前記下桿部のそれぞれの両端が前記左右両側支持部に接続されており、
前記上桿部は、前記便座が前記収束位置にある場合、前記第２の接続部の両端より突出する前記一対の固定桿部に接続されると共に該一対の固定桿部を介して前記便座を前記収束位置に支持することができるように配置構成されていることを特徴とする請求項５に記載の歩行器。
【請求項８】
前記一対の固定桿部は、それぞれ前記主桿部と入れ子構成になっていることを特徴とする請求項５〜７のいずれか一項に記載の歩行器。
【請求項９】
前記枢接部材は、Ｃ字形のつかみ具であって、前記便座板の前記底面に設けられている上、前記Ｃ字形によって前記下桿部と回転可能に嵌合していることを特徴とする請求項８に記載の歩行器。
【請求項１０】
前記左右両側支持部は、それぞれ、前後直立桿部と、アームレストと、横桿部とからなり、前記アームレスト及び前記横桿部のそれぞれの両端が前記前後直立桿部に接続されており、
前記連結部は、上桿部と下桿部とからなり、前記上桿部及び前記下桿部のそれぞれの両端が前記左右両側支持部の前記前後直立桿部の前直立桿部に接続されていることを特徴とする請求項２に記載の歩行器。
【請求項１１】
前記左右両側支持部は、前記連結部に重ね合わせて折りたためるように構成されていることを特徴とする請求項２〜１０のいずれか一項に記載の歩行器。
【請求項１２】
前記便座は、
便座穴があり、第１の接続部と第２の接続部が前記便座穴の両側に配置され、前記第１の接続部に該歩行器と枢接することができる枢接部材が設けられている便座板と、
前記第２の接続部の両端よりそれぞれ突出することができ、且つ、突出してから、固定手段によって該突出状態に仮固定することができるように構成されている一対の固定桿部と、
からなっていることを特徴とする請求項１に記載の歩行器。
【請求項１３】
前記一対の固定桿部は、前記第２の接続部の両端よりそれぞれ突出することができ、且つ、突出してから、固定手段によって該突出状態に仮固定することができるように構成されていることを特徴とする請求項５に記載の歩行器。
【請求項１４】
前記便座板は、折り畳んで収束できる構成になっていることを特徴とする請求項２〜１３のいずれか一項に記載の歩行器。